(57)【要約】【課題】ブロック要素と無端ベルト要素からなる無端ブロックベルトに於いては、一連のプロック要素の左右方向位置が乱れがちとなり、ブロック要素とプーリとの出会いに衝撃騒音が生ずる。この騒音を低減する。【解決手段】ブロック要素の無端ベルト要素支持面を中高にするクラウニングを、該クラウニングによって無端ベルト要素がブロック要素の中心へ向けて偏倚されるように設定し、無端ブロックベルトの作動中クラウニングの案内作用により無端ベルト要素が一方の側縁にてブロック要素の頚部に当接した状態に保持されるようにする。【選択図】    図１
2004150569.tif 000002
【特許請求の範囲】
【請求項１】
一対の帯状無端ベルト要素と、中央の頚部の両側に形成された一対の無端ベルト要素係合溝にて前記一対の無端ベルト要素と係合し前記無端ベルト要素が湾曲するとき前記無端ベルト要素係合溝の一方の縁が呈する無端ベルト要素支持面にて前記無端ベルト要素を支える一連のブロック要素とを有する無端ブロックベルトにして、前記ブロック要素の前記無端ベルト要素支持面は前記無端ベルト要素の一方の側縁を前記頚部に添わせるようクラウニングされていることを特徴とする無端ブロックベルト。
【請求項２】
前記クラウニングはその湾曲中心が前記頚部の中心面より隔たる距離が前記頚部の幅と前記無端ベルト要素の幅の和の半分より小さくなるよう設定されていることを特徴とする請求項１に記載の無端ブロックベルト。
【発明の詳細な説明】
【０００１】
【発明の属する技術分野】
本発明は、プーリ間に掛け渡されて回転力を伝達する無端ベルトに係わり、特に一対の帯状無端ベルト要素と、中央の頚部の両側に形成された一対の無端ベルト要素係合溝にて前記一対の無端ベルト要素と係合し前記無端ベルト要素が湾曲するとき前記ベルト要素係合溝の一方の縁が呈する無端ベルト要素支持面にて前記無端ベルト要素を支える一連のブロック要素とを有する無端ブロックベルトに係る。
【０００２】
【従来の技術】
上記の如き基本構成を有する無端ブロックベルトは、無段変速機等のプーリ間に架け渡されて回転力を伝達する無端ベルトとしてこの技術の分野に於いてはよく知られている。添付の図２はそのような無端ブロックベルトを２つのＶ型プーリ対の間に架け渡して無段変速機を構成した典型例を示す概略図である。図に於いて、１０および１２が２つのＶ型プーリ対のそれぞれの片方であり、１４が無端ブロックベルトである。各々が円錐状ベルト係合面を呈するプーリ対の間の幅を制御し、各プーリ対に於けるベルトの係合半径Ｒ１とＲ２の相対比を変えることによりによりプーリ対間に伝達される回転力の変速比が変えられるようになっている。
【０００３】
図２の断面表示３−３による無端ベルト要素の断面と一つのブロック要素の輪郭とが図３に示されている。ここに示した従来例は、一対の帯状の無端ベルト要素１６（この例では各無端ベルト要素は２枚重ねとなっている）と、中央の頚部１８の両側に形成された一対の無端ベルト要素係合溝２０にて一対の無端ベルト要素１６と係合し該無端ベルト要素が湾曲するとき無端ベルト要素係合溝２０の一方の縁が呈する無端ベルト要素支持面２２にて無端ベルト要素１６を支える一連のブロック要素２４の典型例に、下記特許文献１に記載されている技術が組み込まれたものである。
【０００４】
即ち、この種の無端ブロックベルトに於いては、ブロック要素の無端ベルト要素支持面（図３に於ける２２）を無端ベルトの延在方向に沿って見て中高に湾曲した形状とするクラウニングという手法が知られている。図３に示す例に於いては、クラウニングは図でみてＯｃ点に中心を有する円弧面を呈するように形成されている。これは、ブロック要素の無端ベルト要素支持面がそのようにクラウニングされていると、無端ベルト要素がブロック要素と共にプーリの周りを回る際、無端ベルト要素が一連のブロック要素の無端ベルト要素支持面上に順次着座していくとき、無端ベルト要素は無端ベルト要素支持面の傾斜に沿って高い位置へ向かおうとすることから、無端ベルト要素の中心を無端ベルト要素支持面の中高湾曲形状の頂点に整合させる作用が自動的に得られるからである。
【０００５】
下記特許文献１は、かかるクラウニングに関連して、無端ベルト要素支持面をクラウニングすることに加えて、帯状無端ベルト要素もその横断面が上記のクラウニングに対応した湾曲形状を有するように成形しておき、その際、無端ベルト要素の湾曲の湾曲中心Ｏｂを無端ベルト要素支持面のクラウニングの湾曲中心Ｏｃよりブロック要素の中心の側へ偏倚させることを提案するものであり、これによって無端ベルト要素にブロック要素の中心から離れる方向の力を作用させ、無端ベルト要素がブロック要素の頚部と不用意に接触することによって傷つけられることのないよう、無端ベルト要素をブロック要素の頚部から引き離そうとするものである。
【特許文献１】
実開昭６１−１５７７４０号公報
【特許文献２】
特開２０００−１８３３７号公報
【０００６】
【発明が解決しようとする課題】
上記特許文献１に於ける如く、ブロック要素と無端ベルト要素の間に無端ベルト要素をブロック要素の中心から遠ざける力が作用するようになっていると、一連のプロ要素の左右方向位置の整合は乱れがちとなり、ブロック要素の中には正規の整合位置より横方向に大きく外れ、プーリとの係合により正規の位置に押し戻される際、プーリと激しく衝突し、衝撃音を発し、特に無端ベルトの回転速度が上昇すると高い騒音を生ずる。
【０００７】
この点に関し、上記特許文献２に於いては、一対の無端ベルト要素が当初から頚部に当接して頚部をその間に挟み込むよう配置されているが、ブロック要素の無端ベルト要素支持面がクラウニングされていない場合には、ブロック要素と無端ベルト要素との間の左右方向相対位置が乱れやすく、ブロック要素がプーリと出会う際に騒音が発生しやすい。
【０００８】
本発明は、上記の如き無端ブロックベルトに於けるブロック要素とプーリとの出会いの斑に起因する騒音発生の問題に着目し、かかる騒音の発生を回避するよう改良された無端ブロックベルトを提供することを課題としている。
【０００９】
【課題を解決するための手段】
上記の課題を解決するものとして、本発明は、一対の帯状無端ベルト要素と、中央の頚部の両側に形成された一対の無端ベルト要素係合溝にて前記一対の無端ベルト要素と係合し前記無端ベルト要素が湾曲するとき前記無端ベルト要素係合溝の一方の縁が呈する無端ベルト要素支持面にて前記無端ベルト要素を支える一連のブロック要素とを有する無端ブロックベルトにして、前記ブロック要素の前記無端ベルト要素支持面は前記無端ベルト要素の一方の側縁を前記頚部に添わせるようクラウニングされていることを特徴とする無端ブロックベルトを提供するものである。
【００１０】
上記の如き無端ブロックベルトに於いて、前記クラウニングはその湾曲中心が前記頚部の中心面より隔たる距離が前記頚部の幅と前記無端ベルト要素の幅の和の半分より小さくなるよう設定されていてよい。
【００１１】
【発明の作用及び効果】
上記の如く一対の帯状無端ベルト要素と、中央の頚部の両側に形成された一対の無端ベルト要素係合溝にて前記一対の無端ベルト要素と係合し前記無端ベルト要素が湾曲するとき前記無端ベルト要素係合溝の一方の縁が呈する無端ベルト要素支持面にて前記無端ベルト要素を支える一連のブロック要素とを有する無端ブロックベルトに於いて、前記ブロック要素の前記無端ベルト要素支持面が前記無端ベルト要素の一方の側縁を前記頚部に添わせるようクラウニングされていれば、前記無端ベルト要素は前記各ブロック要素の無端ベルト要素支持面に係合する度にクラウニングの中心、即ち凸状湾曲の最も高い位置へ向けて横方向に移動するクラウニング作用を受け、ブロックベルトの作動中常に前記ブロック要素の頚部に当接した状態を保つので、一連のブロック要素は常に正規の整合状態を維持し、プーリと出会う位置に於いてプーリより横方向に衝撃的に偏倚されることはなくなる。
【００１２】
この場合、特にクラウニングの湾曲中心が前記頚部の中心面より隔たる距離が前記頚部の幅と前記無端ベルト要素の幅の和の半分より小さくなるようクラウニングが設定されれば、無端ベルト要素は単純に扁平な横断面を有していても、その一方の側縁がブロック要素の頚部に添にまで確実に該頚部へ向けて移動する力を受ける。
【００１３】
無端ベルト要素がブロック要素の頚部に接触しても、それが乱発的に起こるのではなく、安定して両者の接触状態が保たれる場合には、両者の接触部がそれなりに適当に仕上げられていれば、いずれの側も不当な損傷を受けることはない。
【００１４】
【発明の実施の形態】
図１は本発明による無端ブロックベルトを図３に示した従来例に対比させた一つの実施の形態に於いて示す図３と同様の図であり、図２に示す無段変速機の構成で見れば、同じく切断表示３−３による無端ベルト要素の断面とブロック要素の輪郭を示す概略図である。図１に於いては、図３に示す部分に対応する部分は図３に於けると同じ符号により示されている。
【００１５】
図示の如く、本発明による無端ブロックベルトは、一見、図３に示した従来例と同様の構造を有するが、本発明による無端ブロックベルトのブロック要素２４ｉに於いては、無端ベルト要素支持面２２の湾曲中心が従来例に於けるＯｃ点よりＯｃｓ点までブロック要素の中心へ向けて偏倚され、クラウニングの湾曲中心Ｏｃｓが頚部１８の中心面Ｎより隔たる距離Ｄｓは頚部１８の幅Ｗｎと無端ベルト要素の幅Ｗｂの和の半分より小さくされ（Ｄｓ＜（Ｗｎ＋Ｗｂ）／２）、これによって無端ベルト要素が横断面で見て図示の実施の形態に於ける如く湾曲した形態とされていても、或は、無端ベルト要素は扁平な横断面ないし無端ベルト要素支持面のクラウニングに比して緩やかな曲面とされていても、無端ベルト要素の幅方向の中心をクラウニングの頂点へ向けて整合させようとする力が無端ベルト要素に作用することにより、無端ベルト要素は常に頚部１８に当接する状態となり、これによって一連のブロック要素は一対の無端ベルト要素と共に常に左右方向位置に関し正しく整合した状態となり、ブロック要素の左右方向の位置の乱れによりブロック要素とプーリとの出会いの際に両者間に大きな横方向衝撃が生ずる虞れはなくなる。
【００１６】
尚、無端ベルト要素がブロック要素の頚部に接触することは、上記特許文献１に於いては無端ベルト要素を損傷から保護するため避けられるべきこととされているが、それはブロック要素の左右方向の位置が不安定であり、無端ベルト要素とブロック要素頚部の接触が乱発的に起こる場合のことであり、安定して両者の接触状態が保たれる場合には、両者の接触部がそれなりに滑らかに仕上げられていれば、いずれの側も不当な損傷を受けることはない。
【００１７】
以上に於いては本発明を一つの実施の形態について詳細に説明したが、かかる実施の形態について本発明の範囲内にて種々の変更が可能であることは当業者にとって明らかであろう。
【図面の簡単な説明】
【図１】本発明による無端ブロックベルトを図３に示す従来例に対比させた一つの実施の形態に於いて示す概略図。
【図２】無端ブロックベルトを２つのＶ型プーリ対の間に架け渡して無段変速機を構成した従来の典型例を示す概略図。
【図３】図２の断面表示３−３による無端ベルト要素の断面とブロック要素の輪郭を示す無端ブロックベルトの従来例の概略図。
【符号の説明】
１０，１２…Ｖ型プーリ対の片方、１４…無端ブロックベルト、１６…無端ベルト要素、１８…頚部、２０…無端ベルト要素係合溝、２２…無端ベルト要素支持面、２４…ブロック要素の従来例、２４ｉ…本発明によるブロック要素の一実施の形態
【図１】
2004150569.tif 000003
【図２】
2004150569.tif 000004
【図３】
2004150569.tif 000005